(57)【要約】【課題】アンテナの共有化に伴う省スペース化及び省電力化を図る放送受信機を提供する。【解決手段】放送受信機１は、地上デジタル放送波を受信するアンテナ１０と、アンテナ１０により受信したデジタル放送波信号を分岐させるスイッチ１００と、スイッチ１００の各出力端子から出力されるデジタル放送波信号を入力するチューナ１０１、１０２と、を備えて構成され、チューナ１０１に１２セグメント受信可能なチューナ、チューナ１０２に１セグ受信可能なチューナを接続しておくことにより、「ＯＮ」経路では高画質な１２セグメント放送を受信し、「ＯＦＦ」経路では所要Ｃ／Ｎの低く、消費電力の少ない１セグメント受信を行う。【選択図】図１
2009135687.tif 000002
【特許請求の範囲】
【請求項１】
地上デジタル放送波を受信するアンテナと、該アンテナにより受信した地上デジタル放送波信号を入力する複数のチューナを備えた地上デジタル放送受信機であって、
前記複数のチューナを選択し、前記地上デジタル放送波信号を切り替えて、該チューナに供給するスイッチを備え、
前記スイッチは、選択されたチューナ以外のチューナと前記アンテナ間の挿入損失を所定の許容範囲内に収まるようにし、前記アンテナで受信された前記地上デジタル放送波信号の受信レベルに対して、所定のレベル以上の前記地上デジタル放送波信号を前記選択されたチューナ以外の各チューナに同時に供給するようにしたことを特徴とする地上デジタル放送受信機。
【請求項２】
さらに、前記受信レベルと、前記挿入損失量及び最小受信感度レベルを用いて算出される算出値と、を比較する比較手段を備え、
前記比較手段は、前記受信レベルが前記算出値よりも大きいと判断した前記スイッチにより選択されていないチューナにより、前記地上デジタル放送波信号に含まれる情報を再生するようにし、前記受信レベルが前記算出値よりも小さいと判断した場合にも、前記地上デジタル放送波信号に含まれる前記情報の検出が可能かを判断することを特徴とする請求項１に記載の地上デジタル放送受信機。
【請求項３】
請求項１又は請求項２に記載の地上デジタル放送受信機を備えた携帯端末装置。
【発明の詳細な説明】
【技術分野】
【０００１】
本発明は、地上デジタル放送を受信する放送受信機に関し、特に、複数個のチューナを内蔵する放送受信機及びこれを使用した携帯端末装置に関する。
【背景技術】
【０００２】
従来、複数のチューナを内蔵した地上デジタル受信機等、例えば、下記の特許文献１に記載されるような１２セグメント放送波と１セグメント放送波を同時に視聴するために、１２セグメント／１セグメントチューナ付き地上デジタル受信機を搭載した携帯端末装置において、アンテナからそれぞれのチューナまでの入力段では、図４（ａ）の概略構成図に示すように、アンテナ１０により受信された放送波信号を増幅器１１によって増幅し、増幅された放送波信号を分配器１２により等分配し、それぞれのチューナ１２、１３に供給することが一般に行われている。上記のような構成とすることの主たる理由として、携帯電話のように小型な装置においては、ＵＨＦ帯で有効なサイズのアンテナを多数配置することは物理的に困難であるということがあげられる。なお、増幅器１１は、分配器による分配損を補うためのプリアンプである。
【特許文献１】特開２００７−７４０９２号公報
【発明の開示】
【発明が解決しようとする課題】
【０００３】
しかしながら、図４（ａ）の従来の構成に示すように、プリアンプ１１の使用による消費電力の増加は、小型電池で動作する携帯端末装置にとって影響は大きく、視聴時間や通話時間・待ち受け時間の減少となってしまうという問題点がある。
【０００４】
また、カーナビ等では、図４（ｂ）に示すように、例えば、それぞれのチューナ１７、１８に対してアンテナ１５、１６を配置し、空間ダイバーシティ受信で受信感度を上げる構成を取っているが、この構成を拡張して、それぞれのアンテナ１５，１６に対して、図４（ａ）と同様な構成とした場合、増幅器２個、分配器２個を追加使用する構成となり、ますます、消費電力の増加を招いてしまうという問題点が発生する。
【０００５】
そこで、本発明は、斯かる実情に鑑み提案されたもので、アンテナの共有化に伴う省スペース化及び省電力化を図る放送受信機を提供しようとするものである。
【課題を解決するための手段】
【０００６】
上記のような問題点を解決するために、本発明に係る放送受信機及びこれを使用した携帯端末装置は、以下のような構成とし、特徴を備えている。
【０００７】
すなわち、本発明に係る地上デジタル放送受信機は、地上デジタル放送波を受信するアンテナと、該アンテナにより受信した地上デジタル放送波信号を入力する複数のチューナを備えた地上デジタル放送受信機であって、前記複数のチューナを選択し、前記地上デジタル放送波信号を切り替えて、該チューナに供給するスイッチを備え、前記スイッチは、選択されたチューナ以外のチューナと前記アンテナ間の挿入損失を所定の許容範囲内に収まるようにし、前記アンテナで受信された前記地上デジタル放送波信号の受信レベルに対して、所定のレベル以上の前記地上デジタル放送波信号を前記選択されたチューナ以外の各チューナに同時に供給するようにしたことを特徴とする。
【０００８】
また、本発明に係る地上デジタル放送受信機は、さらに、前記受信レベルと、前記挿入損失量及び最小受信感度レベルを用いて算出される算出値と、を比較する比較手段を備え、前記比較手段は、前記受信レベルが前記算出値よりも大きいと判断した前記スイッチにより選択されていないチューナにより、前記地上デジタル放送波信号に含まれる情報を再生するようにし、前記受信レベルが前記算出値よりも小さいと判断した場合にも、前記地上デジタル放送波信号に含まれる前記情報の検出が可能かを判断することを特徴とする。
【０００９】
また、本発明に係る携帯端末装置は、上記いずれかの本発明に係る地上デジタル放送受信機を備えたことを特徴とする。
【発明の効果】
【００１０】
本発明の放送受信機によれば、以下に示す優れた効果を奏し得る。
【００１１】
本発明の放送受信機によれば、アンテナの共有化に伴う省スペース化と、プリアンプの消費電力を削減することができる。
【００１２】
本発明の放送受信機によれば、アンテナを共有しつつ複数のチューナを有効に活用することができ、省電力なマルチチャンネル表示や、中継局の受信切り替えを行うにあたって、スムーズかつ正確に行うことが可能である。
【発明を実施するための最良の形態】
【００１３】
以下、本発明の放送受信機に係る一実施形態について図面を参照して説明する。
【００１４】
図１及び図２は、本発明の放送受信機に係る実施形態の一例であって、図中、図と同一の符号を付した部分は同一物を表わす。
【００１５】
図１は、本実施形態に係る放送受信機の概略構成を示す構成図である。
【００１６】
図１に示すように、本実施形態に係る放送受信機１は、地上デジタル放送波を受信するアンテナ１０と、アンテナ１０により受信したデジタル放送波信号を分岐させるスイッチ１００と、スイッチ１００の各出力端子から出力されるデジタル放送波信号を入力するチューナ１０１、１０２と、を備えて構成される。
【００１７】
次に、上記構成された放送受信機１の動作、特に、本発明の特徴構成要素であるスイッチ１００の動作について説明する。
【００１８】
図１に示すスイッチ１００は、接点Ａ、Ｂの２接点型の切替えスイッチであり、外部、例えば、放送受信機１の全体の制御を行う制御部（図示していない）やチューナ１０１、１０２からの制御信号にしたがって、接点Ａ、Ｂを切り替える通常のスイッチである。
【００１９】
ここで、図１に示すように、スイッチ１００が接点Ａ側に切り替えている場合において、アンテナ１０により受信された放送波信号は、矢印２００に示すＯＮ経路を通して、チューナ１０１に入力される。
【００２０】
一方、矢印２０１に示す接点Ｃ→接点Ｂ間の経路は、スイッチ１００が「ＯＦＦ」となっている経路である。この「ＯＦＦ」となっている経路において、スイッチ１００は、使用する周波数帯の信号を全く遮断するものではなく、挿入損失が所定の許容範囲内（例えば、地上デジタル放送波周波数帯において、２０ｄＢ〜３０ｄＢ）にあるように工夫されたスイッチである。
【００２１】
上記例での挿入損失特性を有したスイッチ１００を使用して、例えば、地上デジタルワンセグ放送を受信する場合、現在放送されている地上デジタルワンセグ放送の受信ダイナミックレンジは、１００ｄＢ近く、また、最小受信感度も−９８ｄＢｍ程度まで受信可能であるため、アンテナ１０から受信された電波強度がアンテナ出力端で−６０ｄＢｍ程度あれば、ＯＦＦ経路には最悪でも−９０ｄＢｍ程度の放送波信号がＯＦＦ経路でチューナ１０２にリークすることになり、映像・音声の再生も十分可能なレベルとなる。
【００２２】
このように、本実施形態に係る放受信機１は、従来の増幅器１１及び分配器１２を取り除いた構成とすることができ、アンテナの共有化に伴う省スペース化及び省電力化を図ることができると同時に、以下に説明するデジタル放送波を受信する場合の種々の効果をもたらすことが可能である。
【００２３】
次に、本実施形態に係る放送波受信機を１セグ／１２セグメントデジタル放送の受信に応用した場合の動作例について説明する。
【００２４】
例えば、１セグメント放送を受信する場合、スイッチ１００により選択されなかった他のチューナ１０２において、映像・音声の再生が可能であれば、チューナ１０１によって現在視聴中である以外の番組を事前に映像出力可能な状態にしておくことが可能であるため、チャネル切替えの高速化や、視聴番組のより電波強度の強い放送局・中継局へのスムーズなハンドオーバーが可能になる。
【００２５】
また、逆に、「ＯＦＦ」の経路で、所要Ｃ／Ｎの低い１セグメント放送波受信ができていれば、「ＯＮ」の経路では、１２セグメント受信を行うことが可能であるから、例えば、チューナ１０１に１２セグメント受信可能なチューナ、チューナ１０２に１セグ受信可能なチューナを接続しておくことにより、「ＯＮ」経路では高画質な１２セグメント放送を受信し、「ＯＦＦ」経路では所要Ｃ／Ｎの低く、消費電力の少ない１セグメント受信を行うことができる。
【００２６】
また、図２に示すような１入力多分岐型のスイッチ１１０を備えた放送受信機の場合には、スイッチ１１０の各出力端子に、１２セグメント／１セグ放送波の両方の受信が可能なチューナを接続しておくことにより、「ＯＮ」経路では高画質な１２セグメント放送を受信し、「ＯＦＦ」経路では所要Ｃ／Ｎの低く、消費電力の少ない１セグメント受信を行い、スイッチ切り替え毎に「ＯＮ」の経路に選択されたチューナを１セグメント受信から１２セグメント受信へ切り替え、同様に「ＯＦＦ」の経路に選択されたチューナを１２セグメント受信から１セグメント受信に切り替えを行えば、チャンネル切り替えがスムーズで視聴用チャネルは高画質かつ、低消費電力なマルチチャンネル表示が可能となる。
【００２７】
また、電波強度が映像・音声の再生レベルでない場合でも、「ＯＦＦ」経路で通常受信よりさらに所要ＣＮの低いＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｏｒｏｌ）信号が検出できれば、その周波数でのワンセグ放送の有無が確認できる。「ＯＮ」経路で視聴中にバックグランドで「ＯＦＦ」経路でのワンセグ放送の有無を確認すれば、「ＯＮ」経路でチャンネルサーチを行うとき、「ＯＦＦ」経路でワンセグありと判断された周波数のみ実行することで、チャンネルサーチ時間を大幅に短縮することができる。
【００２８】
以下に、より電波強度の強い放送局・中継局へのスムーズなハンドオーバーの動作を例にとり、図３のフロー図に従って、その詳細動作について述べる。
【００２９】
「ＯＮ」経路に接続されている第１の視聴用チューナで受信・視聴中（ステップＳ１００）において、受信状態があるレベルより低下したか否かを判断する（ステップＳ１１０）。レベル低下したと判断した場合（ステップＳ１１０；Ｙｅｓ）、第２チューナを起動し、受信動作を開始する（ステップＳ１２０）。低下してないと判断した場合（ステップＳ１１０；Ｎｏ）、ステップＳ１００の処理に戻る。
【００３０】
第２チューナは、現在選局している周波数以外の周波数で受信動作を行い、受信可能か判断する（ステップＳ１３０）。
【００３１】
アンテナ受信レベルをＲａ、スイッチ「ＯＮ」経路の挿入損失をＬ１、スイッチ「ＯＦＦ」経路の挿入損失をＬ２、映像・音声再生が可能な最小受信感度をＲｍｉｎとした場合、下式（１）を満たすアンテナ受信レベルがあれば、映像再生が可能となり、受信可能と判断する。
Ｒａ−Ｌ２≧Ｒｍｉｎ        （１）
【００３２】
次に、第２のチューナで受信した番組が、視聴用チューナで受信している現在視聴中の番組と同じ番組であるかを放送波に含まれるＳＩ情報により確認判定を行う（ステップＳ１４０）。
【００３３】
同一番組と判定されたら、挿入損失Ｌ２があっても受信可能である第２のチューナで選局された周波数を選択することが有効であるか否かを判断する（ステップＳ１５０）。ここで、判断材料としては、現在視聴用チューナの受信レベルをＲａ１、第２チューナで選局された周波数の受信レベルをＲａ２とした場合、受信レベル比較で、
Ｒａ１＜Ｒａ２＋Ｌ２      （２）
を満たしたら有効であると判断する。
【００３４】
また、現在視聴用チューナで選局された周波数のＣ／Ｎ比と、第２のチューナで選局された周波数のＣ／Ｎ比を比較して判断してもよい。
【００３５】
有効と判定した場合には（ステップＳ１５０；Ｙｅｓ）、第２のチューナの経路が挿入損失の少ない経路となるようスイッチを切替え、視聴用チューナの入れ替え動作を行い（ステップＳ１６０）、視聴用チューナの入れ替え処理を完了した後、以前まで視聴用に使用していたチューナを停止する（ステップＳ１７０）。これにより、省電力化を図ることができる。
【００３６】
以上により、移動中のデジタル放送受信において、スムーズな中継局への放送波受信切り替えが可能となる。
【００３７】
以上、説明したように、本発明の放送受信機は、アンテナの共有化に伴う省スペース化及び省電力化を図ることができると同時に、視聴番組のより電波強度の強い放送局・中継局へのスムーズなハンドオーバー等の処理をスムーズかつ正確に行うことが可能である。
尚、本発明の放送受信機は、上記した実施形態に限定されるものではなく、本発明の要旨を逸脱しない範囲内において種々変更を加え得ることは勿論である。
【図面の簡単な説明】
【００３８】
【図１】本実施形態に係る放送受信機の概略構成を示す構成図である。
【図２】１入力多分岐型のスイッチ１１０を備えた放送受信機の概略構成を示す構成図である。
【図３】より電波強度の強い放送局・中継局へのスムーズなハンドオーバーの動作を示すフロー図である。
【図４】従来の放送受信機の概略構成を示す構成図である。
【符号の説明】
【００３９】
１  放送受信機
１０、１５、１６  アンテナ
１１  増幅器
１２  分配器
１３、１４、１７、１８  チューナ
１００、１１０  スイッチ
１０１、１０２、１０３  チューナ
２００、２０１  矢印
【図１】
2009135687.tif 000003
【図２】
2009135687.tif 000004
【図３】
2009135687.tif 000005
【図４】
2009135687.tif 000006